(57)【要約】【課題】  レバー復帰用のスプリングを用いないで、スライダーの往復移動に連動して、補充マーカーのレバーを操作できるようにする。【解決手段】  商品の補充表示装置１は、商品ケース３の内部にスライダー４を往復移動自在に設けると共に、スライダー４をスプリング５で付勢してなるカートリッジ２において、商品ケース３の前面に形成されている視認窓６と、支点ピン７により商品ケース３の底部に揺動自在に支持されているシーソー式のレバー８と、レバー８の前端で視認窓６に対応する補充マーカー９と、支点ピン７よりも前側の位置でレバー８に設けられ、スライダー４の前進移動時にスライダー４に接触する位置に形成されている表示位置変位用のカム１０と、支点ピン７よりも後ろ側の位置でレバー８に設けられ、スライダー４の後退移動時にスライダー４に接触する位置に形成されている復帰位置変位用のカム１１とからなる。【選択図】図５
2014023823.tif 000002
【特許請求の範囲】
【請求項１】
商品ストック用上面開口型の商品ケース（３）の内部に商品押し用のスライダー（４）を往復移動自在に設けると共に、スライダー（４）と商品ケース（３）の前側との間にスプリング（５）を設けてなるカートリッジ（２）において、商品ケース（３）の前面に形成されている視認窓（６）と、中間位置で支点ピン（７）により商品ケース（３）の底部に揺動自在に支持されているシーソー式のレバー（８）と、レバー（８）の前端に設けられ、で視認窓（６）に対応する補充マーカー（９）と、支点ピン（７）よりも前側の位置でレバー（８）に設けられ、スライダー（４）の前進移動時にスライダー（４）に接触する位置に形成されている表示位置変位用のカム（１０）と、支点ピン（７）よりも後ろ側の位置でレバー（８）に設けられ、スライダー（４）の後退移動時にスライダー（４）に接触する位置に形成されている復帰位置変位用のカム（１１）と、から構成された商品の補充表示装置（１）。
【請求項２】
レバー（８）の材料により２つのカム（１０、１１）を一体的に形成することを特徴とする請求項１記載の商品の補充表示装置（１）。
【請求項３】
商品ケース（３）とレバー（８）との間に位置決め手段（１２）を設けることを特徴とする請求項１記載の商品の補充表示装置（１）。
【請求項４】
商品ケース（３）とレバー（８）との間に、突起付き押さえ片（１３）と突起付き押さえ片（１３）に係合する窪み（１４）とからなる位置決め手段（１２）を設けることを特徴とする請求項３記載の商品の補充表示装置（１）。
【請求項５】
商品ケース（３）とレバー（８）との間に、摩擦材（１５）を介在させて位置決め手段（１２）を構成することを特徴とする請求項３記載の商品の補充表示装置（１）。
【発明の詳細な説明】
【技術分野】
【０００１】
本発明は、商品ケース内の商品の減少時に、商品の補充時期を販売員などに表示する装置に関する。
【背景技術】
【０００２】
特許文献１は、トレイユニット内のたばこ数の減少時に、スライダの動きに連動させ、着色プレートを前面に突出させて、販売管理者や店員にたばこの補充タイミングを認識させる、ことを開示している。その技術によると、着色プレートが突出する前にも前面から着色プレートを視認できる構成となっているため、誤認が起きやすくなる。
【０００３】
また、特許文献２は、スライダの動きでリンク機構を動作させ、商品の補充時期を表示する、ことを開示している。その技術によると、リンク機構の構造が複雑であり、高価となることから、実施が困難である。
【０００４】
一方、この種の商品の補充表示装置において、スライダーは、トレイユニット内に往復移動自在に設けられ、トレイユニット内の多数の商品を前方向へ押し出し、商品を前面の取り出し位置に移動させるが、同時に補充マークのレバーを変位させるためにも利用されている。すなわちスライダーは、移動時に、補充マークのレバーを変位させている。
【０００５】
上記商品の補充表示装置において、多数の商品が残存しているとき、レバーは、レバー復帰用のスプリングに付勢されて、補充マークを視認できない位置に移動させているが、商品が少なくなったときに、レバーは、スライダーに押され、レバー復帰用のスプリングに抗して変位し、レバーの補充マークを視認できる位置に移動させる。このように、上記の商品の補充表示装置では、補充マークを視認できない位置に移動させるために、レバー復帰用のスプリングが不可欠であり、このために、部品数が多くなり、値段も高いものとなるほか、レバー復帰用のスプリングの疲労が耐久性の観点から問題視されている。
【先行技術文献】
【特許文献】
【０００６】
【特許文献１】特開２０１２−２４１３１公報
【特許文献２】特開２０１２−４００７０公報
【発明の概要】
【発明が解決しようとする課題】
【０００７】
したがって、本発明の課題は、レバー復帰用のスプリングを用いないで、スライダーの往復移動に連動して、補充マーカーのレバーを操作できるようにすることである。
【課題を解決するための手段】
【０００８】
上記の課題のもとに、本発明は、商品押し用のスライダーの往復移動経路に、シーソー式のレバーを設け、スライダーの前進移動時に、上記レバーの補充マーカーを表示位置に変位させ、また上記のスライダーの後退移動時に、上記レバーを復帰位置に変位させるようにしてしいる。
【０００９】
特許請求の範囲の記載に基づいて記載すると、本発明に係る商品の補充表示装置（１）は、商品ストック用上面開口型の商品ケース（３）の内部に商品押し用のスライダー（４）を往復移動自在に設けると共に、スライダー（４）と商品ケース（３）の前側との間にスプリング（５）を設けてなるカートリッジ（２）において、商品ケース（３）の前面に形成されている視認窓（６）と、中間位置で支点ピン（７）により商品ケース（３）の底部に揺動自在に支持されているシーソー式のレバー（８）と、レバー（８）の前端に設けられ、視認窓（６）に対応する補充マーカー（９）と、支点ピン（７）よりも前側の位置でレバー（８）に設けられ、スライダー（４）の前進移動時にスライダー（４）に接触する位置に形成されている表示位置変位用のカム（１０）と、支点ピン（７）よりも後ろ側の位置でレバー（８）に設けられ、スライダー（４）の後退移動時にスライダー（４）に接触する位置に形成されている復帰位置変位用のカム（１１）と、から構成されている（請求項１）。
【００１０】
本発明は、上記商品の補充表示装置（１）において、レバー（８）の材料により２つのカム（１０、１１）を一体的に形成している（請求項２）。
【００１１】
本発明は、上記商品の補充表示装置（１）において、商品ケース（３）とレバー（８）との間に位置決め手段（１２）を設けている（請求項３）。
【００１２】
また、本発明は、上記商品の補充表示装置（１）において、商品ケース（３）とレバー（８）との間に、突起付き押さえ片（１３）と突起付き押さえ片（１３）に係合する窪み（１４）とからなる位置決め手段（１２）を設けている（請求項４）。
【００１３】
さらに、本発明は、上記商品の補充表示装置（１）において、商品ケース（３）とレバー（８）との間に、摩擦材（１５）を介在させて位置決め手段（１２）を構成している（請求項５）。
【発明の効果】
【００１４】
本発明に係る商品の補充表示装置（１）によると、レバー（８）が中間位置で支点ピン（７）によりシーソー式として揺動自在に支持されており、商品（１６）が少なくなって補充時期がくると、スライダー（４）の前進移動時に、スライダー（４）とレバー（８）の表示位置変位用のカム（１０）との接触によって、補充マーカー（９）が視認窓（６）の位置に変位するから、商品（１６）の補充時期が確実に表示でき、また、商品（１６）の補充のために、スライダー（４）を後退移動させる時に、スライダー（４）とレバー（８）の復帰位置変位用のカム（１１）との接触によって、補充マーカー（９）が視認窓（６）から見えない位置に変位するから、レバー（８）のシーソー動作つまり傾きの変換動作がスライダー（４）の往復移動によって確実に得られ、しかもレバー（８）にレバー復帰用のスプリングなどが不要となり、装置が簡単で安価に提供できるほか、レバー復帰用のスプリングなどの疲労部品が無くなり、レバー（８）のシーソー動作が確実で安定となり、耐久性も良くなる（請求項１）。
【００１５】
本発明に係る商品の補充表示装置（１）によると、レバー（８）の材料により２つのカム（１０、１１）が一体的に形成されるため、それらの製作が容易となり、装置が一層安価となる（請求項２）。
【００１６】
本発明に係る商品の補充表示装置（１）によると、商品ケース（３）とレバー（８）との間に位置決め手段（１２）が設けられるため、レバー（８）の傾きの変換動作後に、レバー（８）の変位位置が安定に保持され、振動などの外力による誤動作が未然に防止できる（請求項３）。
【００１７】
また、本発明に係る商品の補充表示装置（１）によると、商品ケース（３）の底部とレバー（８）の面との間に、突起付き押さえ片（１３）と突起付き押さえ片（１３）に係合する窪み（１４）とが設けられるため、位置決め手段（１２）が簡単な構造により構成できる（請求項４）。
【００１８】
さらに、本発明に係る商品の補充表示装置（１）によると、商品ケース（３）とレバー（８）との間に、摩擦材（１５）が設けられるため、レバー（８）の変位位置が摩擦的に簡単かつ安定に保持できる（請求項５）。
【図面の簡単な説明】
【００１９】
【図１】本発明に係る商品の補充表示装置の平面図である。
【図２】本発明に係る商品の補充表示装置の底面図である。
【図３】本発明に係る商品の補充表示装置の正面図である。
【図４】本発明に係る商品の補充表示装置の位置決め手段の断面図である。
【図５】本発明に係る商品の補充表示装置において、スライダーの前進移動時で補充時期を表示する状態の要部の底面図である。
【図６】本発明に係る商品の補充表示装置において、スライダーの後退移動時で補充時期を解除する状態の要部の底面図である。
【図７】本発明に係る商品の補充表示装置の他の位置決め手段の断面図である。
【発明を実施するための形態】
【００２０】
図１ないし図６は、本発明に係る商品の補充表示装置１の構成を示している。図１ないし図４のように、商品の補充表示装置１は、カートリッジ２の底部に組み込まれる。
【００２１】
カートリッジ２は、多数の商品１６を整列状態としてストックするために、上面開口型の商品ケース３の内部に商品押し用のスライダー４を往復移動自在に設けると共に、スライダー４と商品ケース３の前側との間にスプリング５を設けて構成されている。
【００２２】
スライダー４は、スライダー４の両側面のスライド溝などによって商品ケース３の底部すなわち底板２０の前後方向の案内スリット１７にはまり、案内スリット１７にそって往復移動自在となっている。また、スプリング５は、例えば渦巻き状の引きスプリングであり、スライダー４の背面位置で保持され、その外巻きの一端を商品ケース３の前側の底板２０のスプリング掛け１８に係り止めされている。
【００２３】
商品ケース３は、内部に多数の商品１６を整列状態として収容するが、それらの商品１６は、スプリング５により付勢されているスライダー４によって、常に前方に押し出す方向の力を受けている。したがって、購入者が前側の商品１６を取り出すと、後続の商品１６は、スライダー４に押されて順次に前に移動する。
【００２４】
通常、複数のカートリッジ２は、多数の商品１６を収容し、図示しないが、前面開口型のトレーユニットに収納され、店のカウンターなどに設置される。購入者または販売員が前側の商品１６を取り出すと、後続の商品１６は、スライダー４に押されて前に移動するため、購入者または販売員は、移動した前側の商品１６を順次に取り出せる状態となってる。
【００２５】
そして、商品の補充表示装置１は、商品ケース３の前面に形成されている視認窓６およびシーソー式のレバー８を有している。レバー８は、中間位置で支点ピン７により商品ケース３の底板２０に揺動自在に支持され、レバー８の前側の先端で視認窓６に対応する補充マーカー９を形成し、かつ支点ピン７よりも前側の位置で表示位置変位用のカム１０を形成しており、また支点ピン７よりも後ろ側の位置で復帰位置変位用のカム１１を形成している。なお、補充マーカー９は、視認性をよくするために、必要に応じて着色されているか、またはレバー８とともに例えば赤色プラスチックにより構成されている。
【００２６】
表示位置変位用のカム１０は、レバー８の材料により一体的に形成されており、案内スリット１７に向けてへの字形に張り出し、スライダー４の前進移動時に、その輪郭部分でスライダー４の側面に接触するようになっている。また、復帰位置変位用のカム１１は、レバー８の材料により一体的に形成されており、案内スリット１７に向けて低い台形に張り出し、スライダー４の後退移動時に、その輪郭部分でスライダー４の側面に接触するようになっている。
【００２７】
なお、２つのカム１０、１１は、一例としてレバー８の材料により一体的に形成されているが、それらは、それぞれ別の材料により形成し、レバー８に接着などの固着または固定手段により取り付けて、形成することもできる。
【００２８】
さらに、商品の補充表示装置１は、必要に応じて、商品ケース３の底板２０とレバー８との間で位置決め手段１２を有している。図２および図４ないし図６の位置決め手段１２は、商品ケース３の底板２０およびレバー８のうち、一方例えば底板２０に薄いプラスチック製ラッチとして突起付き押さえ片１３を固着し、他方のレバー８に突起付き押さえ片１３の突起に係合する孔または窪み１４を形成した構造である。
【００２９】
なお、レバー８の突片１９は、レバー８の変位限度を規制するために、必要に応じて設けられる。レバー８は、シーソー動作をするときに、他のものと干渉しないように、必要に応じて、底板２０と平行なカバー、部分的なカバーなどによって被覆される。
【００３０】
既に記載したように、販売中に、カートリッジ２の商品ケース３内から一番前の商品１６が取り出されると、スライダー４は、図１および図２のように、スプリング５の付勢力によって商品１６の減少にともない前方に移動する。スライダー４が前方に移動するときに、カム１１に接触するが、このときレバー８は、傾きを変えない。
【００３１】
図５のように、商品ケース３の内部の商品１６の数が少なくなり、補充すべき数量、例えば３個になると、スライダー４の側面がレバー８のカム１０に接触し、それを強制的に変位させるため、このときレバー８は、傾きを変え、補充マーカー９は、待機位置から視認窓６の位置へ移動する。商品１６の数が２個、１個と少なくな過程でも、スライダー４の側面はレバー８のカム１０に接触し続けるため、レバー８は、外部から力を加えても待機位置に戻らず、補充マーカー９を視認窓６の位置に保持する。レバー８の変位位置は、突起付き押さえ片１３の突起と窪み１４との係合によって保持される。このようにして、レバー８は、商品１６について補充時期を表示する状態にあり、補充マーカー９を視認窓６の位置に移動させる。
【００３２】
販売員は、視認窓６から補充マーカー９を視覚により確認したときに、商品ケース３の内部に多数の商品１６を補充するために、スライダー４をスプリング５の付勢力に抗して後退させ、商品ケース３の中に多数の商品１６を整列状態として納める。
【００３３】
図６のように、スライダー４は、後退する過程で、表示位置変位用のカム１０に軽く接触し、レバー８を変位させないまま後方に移動し、支点ピン７よりも後方に移動した後、復帰位置変位用のカム１１に当たり、それを強く押して、支点ピン７を中止としてレバー８を回動させ、突起付き押さえ片１３の突起と窪み１４との係合を解除し、補充マーカー９を視認窓６から見えない位置へ移動させる。このようにして、レバー８は、商品１６について補充時期を表示しない傾きとなる。
【００３４】
以上のように、商品押し用のスライダー４は、前進移動時で、商品１６を補充すべき時期になったとき、シーソー式のレバー８の補充マーカー９を補充時期の表示位置に変位させ、また後退移動時に、レバー８を復帰位置つまり補充時期の不表示位置に変位させる。したがって、シーソー式のレバー８のシーソー動作すなわち傾き変換動作は、常に、スライダー４の前進移動・後退移動と連動するから、レバー８の復帰のためのレバー復帰用のスプリングなどは不要となる。
【００３５】
なお、図７の位置決め手段１２は、商品ケース３の底板２０とレバー８との間に、摩擦材１５を介在させた構造となっている。この例では、摩擦材１５の摩擦力がレバー８の変位位置を保持することになる。
【産業上の利用可能性】
【００３６】
図示の例において、商品１６は、主としてたばこであるが、たばこと同じような形態の商品の収納にも利用できる。
【符号の説明】
【００３７】
１  商品の補充表示装置
２  カートリッジ
３  商品ケース
４  スライダー
５  スプリング
６  視認窓
７  支点ピン
８  シーソー式のレバー
９  補充マーカー
１０  表示位置変位用のカム
１１  復帰位置変位用のカム
１２  位置決め手段
１３  突起付き押さえ片
１４  窪み
１５  摩擦材
１６  商品
１７  案内スリット
１８  スプリング掛け
１９  突片
２０  底板
【図１】
2014023823.tif 000003
【図２】
2014023823.tif 000004
【図３】
2014023823.tif 000005
【図４】
2014023823.tif 000006
【図５】
2014023823.tif 000007
【図６】
2014023823.tif 000008
【図７】
2014023823.tif 000009